(57)【要約】【課題】インターホン親機を警戒モードに設定変更することを忘れた場合でも、自動的に警戒モードにして防犯警戒態勢に入ることができるインターホンシステム。【解決手段】インターホン親機１１と、防犯センサ１６と、住戸に対応して設けられる携帯電話１９のアクセスポイント１３と、インターホン親機１１と接続されるインターホン制御装置１５と、アクセスポイント１３と接続されるサーバ装置１８とを併設し、アクセスポイント１３は、携帯電話１９と所定時間通信ができなかった場合は、不在通知をサーバ装置１８に送出し、サーバ装置１８は、不在通知が送出された住戸を特定するとともに、住戸に対応した不在通知をインターホン制御装置１５に送出し、インターホン制御装置１５は、インターホン親機１１に、警戒モード変更指示を送出し、インターホン親機１１は、防犯センサ１６が異常を検出した場合に警報を出力する警戒モードに設定変更する。【選択図】図１
2010258748.tif 000002
【特許請求の範囲】
【請求項１】
住戸に設けられるインターホン親機と、このインターホン親機に接続される防犯センサと、該住戸に対応して設けられる携帯電話のアクセスポイントとを設けたインターホンシステムであって、
前記アクセスポイントは、予め登録された携帯電話と所定時間通信ができなかった場合は、不在通知を前記インターホン親機に送出し、前記インターホン親機は、前記不在通知を受けると、前記防犯センサが異常を検出した場合に警報を出力する警戒モードに設定変更することを特徴とするインターホンシステム。
【請求項２】
集合住宅の住戸に設けられるインターホン親機と、このインターホン親機に接続される防犯センサと、該住戸に対応して設けられる携帯電話のアクセスポイントと、該住戸のそれぞれの前記インターホン親機と接続されるインターホン制御装置と、該住戸のそれぞれの前記アクセスポイントと接続されるサーバ装置とを設けたインターホンシステムであって、
前記アクセスポイントは、予め登録された携帯電話と所定時間通信ができなかった場合は、不在通知を前記サーバ装置に送出し、
前記サーバ装置は、前記不在通知を受けると、不在通知が送出された住戸を特定し、該住戸に対応した不在通知を前記インターホン制御装置に送出し、
前記インターホン制御装置は、前記該住戸に対応した不在通知を受けると、該住戸の前記インターホン親機に、警戒モード変更指示を送出し、
前記インターホン親機は、前記警戒モード変更指示を受けると、該住戸の前記防犯センサが異常を検出した場合に警報を出力する警戒モードに設定変更することを特徴とするインターホンシステム。
【発明の詳細な説明】
【技術分野】
【０００１】
本発明は、防犯センサと連動するインターホンシステムの改良に関する。
【背景技術】
【０００２】
マンション等の集合住宅用インターホンシステムなどにおいて、防犯センサと連動するインターホンシステムが種々開発されている。例えば、特許文献１には、ドアホン、インターホン親機、ロビーインターホン、防犯センサ、携帯電話などのリモート端末の中継局などのアクセスポイントとを備え、防犯センサが異常を検出した場合に警報を出力する警戒モードにインターホン親機を設定変更するなど、携帯電話などのリモート端末から防犯センサやインターホン親機の動作状態を制御することができる集合住宅インターホンシステムが開示されている。
【先行技術文献】
【特許文献】
【０００３】
【特許文献１】特開2002-27573号公報
【発明の概要】
【発明が解決しようとする課題】
【０００４】
しかしながら、上記特許文献１のような構成では、携帯電話の所持者が外出する時に携帯電話側からインターホン親機を警戒モードに設定変更することは可能であるが、警戒モードに設定変更することを忘れた場合などは、インターホン親機が警戒モードに切り替わらずに防犯警戒態勢に入らないままに放置されるという問題があった。そこで、本発明は、外出時にインターホン親機を警戒モードに設定変更することを忘れた場合でも、インターホン親機を自動的に警戒モードにして防犯警戒態勢に入ることができる新規な構成のインターホンシステムを提供することを課題とする。
【課題を解決するための手段】
【０００５】
第１の本発明によるインターホンシステムは、住戸に設けられるインターホン親機と、このインターホン親機に接続される防犯センサと、該住戸に対応して設けられる携帯電話のアクセスポイントとを設けたインターホンシステムであって、前記アクセスポイントは、予め登録された携帯電話と所定時間通信ができなかった場合は、不在通知を前記インターホン親機に送出し、前記インターホン親機は、前記不在通知を受けると、前記防犯センサが異常を検出した場合に警報を出力する警戒モードに設定変更することを特徴とする。
【０００６】
また、第２の本発明は、集合住宅の住戸に設けられるインターホン親機と、このインターホン親機に接続される防犯センサと、該住戸に対応して設けられる携帯電話のアクセスポイントと、該住戸のそれぞれの前記インターホン親機と接続されるインターホン制御装置と、該住戸のそれぞれの前記アクセスポイントと接続されるサーバ装置とを設けたインターホンシステムであって、前記アクセスポイントは、予め登録された携帯電話と所定時間通信ができなかった場合は、不在通知を前記サーバ装置に送出し、前記サーバ装置は、前記不在通知を受けると、不在通知が送出された住戸を特定し、該住戸に対応した不在通知を前記インターホン制御装置に送出し、前記インターホン制御装置は、前記該住戸に対応した不在通知を受けると、該住戸の前記インターホン親機に、警戒モード変更指示を送出し、前記インターホン親機は、前記警戒モード変更指示を受けると、該住戸の前記防犯センサが異常を検出した場合に警報を出力する警戒モードに設定変更することを特徴とする。
【発明の効果】
【０００７】
第１の本発明によれば、一戸建てなどの場合において、アクセスポイントが、予め登録された携帯電話と所定時間通信ができなかった場合は、アクセスポイントからインターホン親機に不在通知を送出するとともに、この不在通知に基づいて住戸のインターホン親機を警戒モードに設定変更するので、外出時にインターホン親機を警戒モードに設定変更することを忘れた場合でも、自動的に警戒モードにして防犯警戒態勢に入ることができる。
【０００８】
また、第２の本発明によれば、集合住宅などの場合において、アクセスポイントが、予め登録された携帯電話と所定時間通信ができなかった場合は、アクセスポイントからサーバ装置を介してインターホン制御装置に不在通知を送出するとともに、この不在通知に基づいてインターホン制御装置がインターホン親機に、警戒モード変更指示を送出して警戒モードに設定変更するので、外出時にインターホン親機を警戒モードに設定変更することを忘れた場合でも、自動的に警戒モードにして防犯警戒態勢に入ることができる。
【図面の簡単な説明】
【０００９】
【図１】は、実施例の基本的なブロック図である。
【図２】は、実施例のより具体的なブロック図である。
【図３】は、アクセスポイントが予め登録された携帯電話と所定時間通信ができなかった場合の実施例における信号伝送を示したフロー図である。
【発明を実施するための形態】
【００１０】
まず、集合住宅などの場合である第２の本発明から説明する。図１に示すように、本発明によるインターホンシステムは、集合住宅の各住戸に設けられるインターホン親機１１と、このインターホン親機１１に接続される防犯センサ１６と、このインターホン親機１１が併設される住戸に対応して設けられる携帯電話１９のアクセスポイント１３とを備えている。また、このインターホンシステムは、住戸のそれぞれのインターホン親機１１と接続されるインターホン制御装置１５と、住戸のそれぞれのアクセスポイント１３と接続されるサーバ装置１８とを併設している。
【００１１】
詳しく説明すると、本発明によるインターホンシステムは、住棟ロビーに配置したカメラ１２で撮影した映像を、各部屋に設置され、モニタテレビ１０５(図２)を有したインターホン親機１１に伝送して再生させる機能を有した集合住宅用インターホンシステムと、アクセスポイント１３（AP）との間でローミングを可能とした携帯電話システムとを組み合わせた構成になっている。
【００１２】
インターホンシステムの部分は、カメラ１１ａを有した子器１１ｂを接続したインターホン親機１１と、住棟の共用部である住棟ロビーに設置されたロビー機１４およびカメラ１２と、インターホン親機１１とロビー機１４との通話等を制御するとともに、カメラ１２からの映像信号に対して圧縮処理等を施すなど、映像制御を行うインターホン制御装置１５とで構成されている。
【００１３】
一方、携帯電話システムの部分は、携帯電話１９と無線通信するアクセスポイント１３と、アクセスポイント１３を制御するサーバ装置１８とで構成されている。
【００１４】
また、サーバ装置１８は、インターネット等のネットワーク２０に接続されており、このネットワーク２０を通じて、他場所にあるサーバ装置、システムと連動したりすることで、必要に応じて種々の用途の通信ができるようにも構成されている。
【００１５】
例えば、インターネットのウェブサーバー機能を利用して、ネットワークからサーバ装置１８のデータベースに保持される携帯電話１９のアドレス情報のテーブルを変更するなど、アクセスポイント１３の制御を変更することも可能である。
【００１６】
そして、本発明の特徴的な構成として、インターホン制御装置１５と、サーバ装置１８とが信号線によって連結されている。
【００１７】
なお、携帯電話システムは、IEEE 802.11（IEEE 802.11a/IEEE 802.11b）規定に従って無線ＬＡＮ機器間が相互接続するシステムを利用したものでもよい。そのような携帯電話システムとしては、例えば、skype（登録商標）用のWiFi電話機がある。また、現在広く普及している一般の携帯電話システムを利用してもよい。
【００１８】
ここで、図２を参照して本発明のより具体的な構成を説明する。図２は、実施例のより具体的なブロック図である。
【００１９】
図２に示すように、インターホン親機１１は、インターホン制御装置１５、防犯センサ１６の間で制御信号を送受信する制御信号送受信部１０１と、エンコードされた映像／通話信号を受信すると共に、通話信号を送信する映像／通話信号送受信部１０２と、ＣＰＵで構成された制御部１０３と、呼出音を鳴動させると共に、ハンズフリーで通話を行わせる通話部１０４と、液晶パネル等からなるモニタテレビ１０５を有した表示部１０６と、複数の操作キーを有した操作部１０７とを備えている。そして、このインターホン親機１１は、防犯センサ１６が異常を検出した場合に警報を出力する警戒モードとこの警戒モードを解除する警戒解除モードとの間でモード変更可能に構成されている。
【００２０】
防犯センサ１６は、住戸への他人の侵入を検知する人感知センサで構成されている。
【００２１】
インターホン制御装置１５は、インターホン親機１１およびロビー機１４との間で制御信号を送受信する制御信号送受信部１０１と、インターホン親機１１およびロビー機１４との間で通話信号を中継する通話信号送受信部１０２と、ＣＰＵで構成された制御部１０３と、映像／通話信号を制御する映像制御盤１７を備えており、このインターホン制御装置１５からも各戸の防犯警戒態勢を監視することができるように構成されている。
【００２２】
ここで、映像制御盤１７は、ロビー機１４から伝送されてくるビデオ信号を選択する映像入力部１０９と、ビデオ信号と通話信号とを重畳させて所定形式の映像／通話信号にエンコードする映像／通話結合部１１０と、その映像／通話信号をインターホン親機１１に送信すると共に、インターホン親機１１から通話信号を受信する映像／通話信号送受信部１０２と、ＣＰＵで構成された制御部１０３とを備える。
【００２３】
また、ロビー機１４は、来訪者を撮影するカメラ１２と、インターホン制御装置１５の間で制御信号を送受信する制御信号送受信部１０１と、カメラ１２が撮影しているビデオ信号をインターホン制御装置１５の映像制御盤１７に出力する映像出力部１０８と、ハンズフリーで通話を行わせる通話部１０４と、呼び出すべき住戸を指定する操作部１０７と、ＣＰＵで構成された制御部１０３とを備える。
【００２４】
アクセスポイント１３は、無線ＬＡＮに対応したアクセスポイントとして構成されており、無線ＬＡＮ送受信モジュール１１１と、サーバ装置１８との間で制御信号やデータを送受信するデータ送受信部１１２と、ＣＰＵで構成された制御部１０３とを備えている。
【００２５】
サーバ装置１８は、アクセスポイント１３との間で制御信号やデータを送受信するデータ送受信部１１２と、インターホン制御装置１５との間で制御信号を送受信する制御信号送受信部１０１と、インターネット等のネットワーク２０との間で制御信号やデータを送受信するネットワーク通信部１１３と、ＣＰＵで構成された制御部１０３とを備える。
【００２６】
また、携帯電話１９は、アクセスポイント１３と無線通信する無線ＬＡＮ送受信モジュール１１１と、呼出音を鳴動させると共に、通話を行わせる通話部１０４と、操作部１０７と、表示部１０６とを備えており、電源電池１１４によって作動する。
【００２７】
次に、図１〜図３を参照して、本発明のインターホンシステムの動作を説明する。図３は、アクセスポイント１３が予め登録された携帯電話１９と所定時間通信ができなかった場合の実施例における信号伝送を示したフロー図である。
【００２８】
図１、図２を参照して、このインターホンシステムは、ロビー機１４で住戸を指定して呼出操作すると、インターホン制御装置１５が、指定された住戸のインターホン親機１１を呼び出す。呼び出されたインターホン親機１１は、チャイム等を鳴動させ、居住者に来客を伝える。居住者が応答操作をすると、インターホン制御装置１５によって、インターホン親機１１と、ロビー機１４との間に通話路が形成され、相互通話が可能になる。
【００２９】
また、インターホン制御装置１５は、住棟ロビーに設置されているカメラ１２が撮影している映像信号を、インターホン親機１１に伝送させ、そのモニタテレビ１０５に再生させる。このインターホン親機１１とロビー機１４との相互通話は、インターホン親機１１で所定の操作がなされるか、あるいは所定の時間経過によって終了する。
【００３０】
また、各アクセスポイント１３は、定期的に所定の確認電波を発信して、圏内に予め登録された携帯電話１９があるか否かを確認し、携帯電話１９がある場合には、それに割り付けられているアドレス情報を取得している。このアドレス情報は、サーバ装置１８のデータベースにテーブルとして更新保持される。
【００３１】
ここで、図３は、アクセスポイント１３が予め登録された携帯電話１９と所定時間通信ができなかった場合の実施例における信号伝送を示したフロー図であり、携帯電話１９、インターホン親機１１、アクセスポイント１３、サーバ装置１８、インターホン制御装置１５、インターホン親機１１、防犯センサ１６間の信号伝送を上下時系列的に示している。
【００３２】
本発明においては、図３に示すように、通常は、各アクセスポイント１３が、定期的に所定の確認電波を携帯電話１９に対して発信する定期通信を行うとともに、携帯電話１９からの定期通信の応答により圏内に予め登録された携帯電話１９があるか否かを確認している。そして、携帯電話１９がある場合には、それに割り付けられているアドレス情報を取得する。このアドレス情報は、サーバ装置１８のデータベースにテーブルとして更新保持される。
【００３３】
一方、居住者が、外出時にインターホン親機１１を警戒モードに設定変更することを忘れた場合などは、携帯電話１９が圏外となり、定期通信に対して無応答となる。このようにアクセスポイント１３が予め登録された携帯電話１９と所定時間通信ができない場合は、アクセスポイント１３が、不在通知をサーバ装置１８に送出する。
【００３４】
そして、サーバ装置１８が、不在通知を受けると、不在通知が送出された住戸をアドレス情報から特定してデータベースのテーブルを更新保持するとともに、住戸のアクセスポイント１３が、住戸に対応する携帯電話１９と所定時間通信ができなかったと判断する。そして、この住戸に対応した不在通知としてデータベースのテーブルに登録されたアドレスとこのアドレスの住戸が不在であることを示す信号とをインターホン制御装置１５に送出する。
【００３５】
ここで、インターホン制御装置１５は、この住戸に対応した不在通知を受けると、そのアドレスの住戸のインターホン親機１１に、警戒モード変更指示を送出する。
【００３６】
そして、この警戒モード変更指示を受けたインターホン親機１１は、住戸の防犯センサ１６が異常を検出した場合に警報を出力する警戒モードに設定変更し、防犯警戒態勢に入る。
【００３７】
このように、本発明によれば、集合住宅において、アクセスポイント１３が予め登録された携帯電話１９と所定時間通信ができなかった場合は、アクセスポイント１３からサーバ装置１８を介してインターホン制御装置１５に不在通知を送出するとともに、この不在通知に基づいてインターホン制御装置１５がインターホン親機１１に、警戒モード変更指示を送出して住戸のインターホン親機１１を警戒モードに設定変更する。そのため、外出時にインターホン親機１１を警戒モードに設定変更することを忘れた場合でも、自動的に警戒モードにして防犯警戒態勢に入ることができる。
【００３８】
次に、第２の本発明のインターホンシステムについて説明する。例えば１戸建ての住宅の場合などは、インターホン親機１１、携帯電話１９、アクセスポイント１３がそれぞれひとつだけの場合があるが、このような場合は、インターホン制御装置１５や、サーバ装置１８は省略可能である。このように本発明のインターホンシステムは、インターホン親機１１、携帯電話１９、アクセスポイント１３がそれぞれひとつだけの場合は、アクセスポイント１３から直接インターホン親機１１に不在通知を送出するとともに、このインターホン親機１１が、警戒モードに設定変更するようにしてもよい。
【００３９】
このような構成でも、外出時にインターホン親機１１を警戒モードに設定変更することを忘れた場合に、自動的に警戒モードにして防犯警戒態勢に入ることができる。
【００４０】
なお、防犯センサ１６は、住戸の防犯警戒を行うものであれば、例えばドアや窓の開閉を検知する防犯センサや、振動等を検知する防犯センサなど種々の防犯センサが採用可能である。
【００４１】
また、サーバ装置１８だけでなく、インターホン制御装置１５のデータベースにも、各住戸や携帯電話１９に割り付けられる情報をテーブルとして保持して、これに基づいてインターホン親機１１を制御するように構成することも可能である。
【符号の説明】
【００４２】
１１    インターホン親機
１３    アクセスポイント
１５    インターホン制御装置
１６    防犯センサ
１８    サーバ装置
１９    携帯電話
【図１】
2010258748.tif 000003
【図２】
2010258748.tif 000004
【図３】
2010258748.tif 000005